(57)【要約】  本発明は、規定の最大電流を有する電気信号を連続的に且つ損傷を伴うことなしに供給するのに適するように、所与の固有特性を有するコンセント（１００Ａ、１００Ｂ、１００Ｃ、１００Ｄ）を提供する。  本発明においては、コンセントは、損傷を伴うことなしにコンセントによって供給することができる前記電気信号の前記最大電流を表すパイロット信号を生成するように、電気プラグ（２００Ａ、２００Ｂ、２００Ｃ、２００Ｄ）と通信又は協働するように適合された識別手段（１３０Ａ、１３０Ｂ、１３０Ｃ、１３０Ｄ）を含む。  又、本発明は、電気プラグ及び電気組立体をも提供する。【選択図】図１
2014523617.tif 000002
【特許請求の範囲】
【請求項１】
既定の最大電流を有する電気信号を連続的に且つ損傷を伴うことなしに供給するのに適するように、所与の固有特性を有するコンセント（１００Ａ、１００Ｂ、１００Ｃ、１００Ｄ、３００、５００、７００、９００）であって、
損傷を伴うことなしに前記コンセントによって供給することができる前記電気信号の前記最大電流を表すパイロット信号を生成するように、電気プラグ（２００、４００、６００、８００、１０００）と通信又は協働するように適合された識別手段（１３０、３３０、５３０、７３０、９３０）を含むことを特徴とするコンセント。
【請求項２】
前記識別手段（１３０Ａ、１３０Ｂ、１３０Ｃ、１３０Ｄ）は、磁石（１３３Ａ、１３３Ｂ、１３３Ｃ、１３３Ｄ）を備える請求項１に記載のコンセント（１００Ａ、１００Ｂ、１００Ｃ、１００Ｄ）。
【請求項３】
前記磁石（１３３Ａ、１３３Ｂ、１３３Ｃ、１３３Ｄ）は、前記コンセント（１００Ａ、１００Ｂ、１００Ｃ、１００Ｄ）の受入凹部の壁の近傍において、前記コンセント（１００Ａ、１００Ｂ、１００Ｃ、１００Ｄ）のケーシング（１６０Ａ、１６０Ｂ、１６０Ｃ、１６０Ｄ）内に配置される請求項２に記載のコンセント（１００Ａ、１００Ｂ、１００Ｃ、１００Ｄ）。
【請求項４】
前記識別手段は、光源（３３０）を備える請求項１〜３のいずれか一項に記載のコンセント（３００）。
【請求項５】
前記光源（３３０）は、発光ダイオードを備える請求項４に記載のコンセント（３００）。
【請求項６】
前記識別手段は、ライトガイドを備える請求項４又は５に記載のコンセント。
【請求項７】
前記識別手段（５３０）は、光反射器要素を備える請求項１〜６のいずれか一項に記載のコンセント（５００）。
【請求項８】
前記光反射器要素は、ミラー（５３０）である請求項７に記載のコンセント（５００）。
【請求項９】
前記識別手段は、非導電性であると共に前記コンセント（７００）の前面部分から突出するプッシャ要素（７３０）を備える請求項１〜８のいずれか一項に記載のコンセント（７００）。
【請求項１０】
前記識別手段は、前記コンセント（９００）によって電力供給されない更なる電気接触要素（９３０）を備える請求項１〜１０のいずれか一項に記載のコンセント（９００）。
【請求項１１】
コンセント（１００Ａ、１００Ｂ、１００Ｃ、１００Ｄ、３００、５００、７００、９００）にプラグ接続されるように構成された電気プラグ（２００Ａ、２００Ｂ、２００Ｃ、２００Ｄ、４００、６００、８００、１０００）であって、前記コンセント（１００Ａ、１００Ｂ、１００Ｃ、１００Ｄ、３００、５００、７００、９００）は、既定の最大電流を有する電気信号を連続的に且つ損傷を伴うことなしに供給するのに適するように、所与の固有特性を有し、且つ、損傷を伴うことなしに前記コンセントによって供給することができる前記電気信号の前記最大電流を表すパイロット信号を生成するように、前記電気プラグ（２００Ａ、２００Ｂ、２００Ｃ、２００Ｄ、４００、６００、８００、１０００）と通信又は協働するように適合された識別手段を含む、電気プラグ（２００Ａ、２００Ｂ、２００Ｃ、２００Ｄ、４００、６００、８００、１０００）であって、
前記識別手段（１３０Ａ、１３０Ｂ、１３０Ｃ、１３０Ｄ、３３０、５３０、７３０、９３０）と通信すると共に前記パイロット信号を転送するように適合された読取器手段（２３０Ａ、２３０Ｂ、２３０Ｃ、２３０Ｄ、４３０、６３０、８３０、１０３０）を含む電気プラグ（２００Ａ、２００Ｂ、２００Ｃ、２００Ｄ、４００、６００、８００、１０００）。
【請求項１２】
前記読取器手段は、ホール効果センサを備える請求項１１に記載の電気プラグ。
【請求項１３】
前記読取器手段（２３０Ａ、２３０Ｂ、２３０Ｃ、２３０Ｄ）は、磁界に対する感度を有するリードスイッチ（２３３Ａ、２３３Ｂ、２３３Ｃ、２３３Ｄ）を備える請求項１１又は１２に記載の電気プラグ（２００Ａ、２００Ｂ、２００Ｃ、２００Ｄ）。
【請求項１４】
前記読取器手段（４３０、６３０）は、光検出器を備える請求項１１〜１３のいずれか一項に記載の電気プラグ（４００、６００）。
【請求項１５】
前記読取器手段（４３０、６３０）は、ライトガイド（４３２、６３１、６３２）を備える請求項１１〜１４のいずれか一項に記載の電気プラグ（４００、６００）。
【請求項１６】
前記読取器手段は、光源と、光検出器と、を備える請求項１１〜１５のいずれか一項に記載の電気プラグ（６００）。
【請求項１７】
前記読取器手段（８３０）は、第２電気回路の機械スイッチ（８３１）を備える請求項１１〜１６のいずれか一項に記載の電気プラグ（８００）。
【請求項１８】
前記読取器手段（１０３０）は、前記電気プラグから突出する２本の金属ロッド（１０３１）と、前記２本の金属ロッドに跨って開路状態にある第２電気回路と、を備える請求項１１〜１７のいずれか一項に記載の電気プラグ（１０００）。
【請求項１９】
コンセント（１００Ａ、１００Ｂ、１００Ｃ、１００Ｄ、３００、５００、７００、９００）と、前記コンセントにプラグ接続されるように適合された電気プラグ（２００Ａ、２００Ｂ、２００Ｃ、２００Ｄ、４００、６００、８００、１０００）と、を備える電気組立体（Ｅ１、Ｅ２、Ｅ３、Ｅ４、Ｅ５）であって、コンセント（１００Ａ、１００Ｂ、１００Ｃ、１００Ｄ、３００、５００、７００、９００）は、既定の最大電流を有する電気信号を連続的に且つ損傷を伴うことなしに供給するのに適するように、所与の固有特性を有し、且つ、損傷を伴うことなしに前記コンセント（１００Ａ、１００Ｂ、１００Ｃ、１００Ｄ、３００、５００、７００、９００）によって連続的に供給することができる前記電気信号の前記最大電流を表すパイロット信号を生成するように、前記電気プラグ（２００Ａ、２００Ｂ、２００Ｃ、２００Ｄ、４００、６００、８００、１０００）の読取器手段（２３０Ａ、２３０Ｂ、２３０Ｃ、２３０Ｄ、４３０、６３０、８３０、１０３０）と通信又は協働するように適合された識別手段（１３０Ａ、１３０Ｂ、１３０Ｃ、１３０Ｄ、３３０、５３０、７３０、９３０）を含む、電気組立体（Ｅ１、Ｅ２、Ｅ３、Ｅ４、Ｅ５）。
【請求項２０】
前記コンセントの前記識別手段は、磁石を有し、且つ、前記電気プラグの前記読取器手段は、前記電気プラグが前記コンセントに挿入された際に、前記パイロット信号を出力するように適合されたホール効果センサを備える請求項１９に記載の電気組立体。
【請求項２１】
前記コンセント（１００Ａ、１００Ｂ、１００Ｃ、１００Ｄ）の前記識別手段（１３０Ａ、１３０Ｂ、１３０Ｃ、１３０Ｄ）は、磁石（１３３）を有し、且つ、前記電気プラグ（２００Ａ、２００Ｂ、２００Ｃ、２００Ｄ）の前記読取器手段（２３０Ａ、２３０Ｂ、２３０Ｃ、２３０Ｄ）は、磁界に対する感度を有すると共に前記電気プラグ（２００Ａ、２００Ｂ、２００Ｃ、２００Ｄ）が前記コンセント（１００Ａ、１００Ｂ、１００Ｃ、１００Ｄ）に挿入された際に状態を変化させるように適合されたリードスイッチ（２３３Ａ、２３３Ｂ、２３３Ｃ、２３３Ｄ）を含む第２電気回路を備える請求項１９に記載の電気組立体（Ｅ１）。
【請求項２２】
前記コンセント（３００）の前記識別手段（３３０）は、光源を有し、且つ、前記電気プラグ（４００）の前記読取器手段（４３０）は、前記電気プラグ（４００）が前記コンセント（３００）に挿入された際に前記光源によって放出された前記光ビームを受け取るように適合された光検出器を備える請求項１９に記載の電気組立体（Ｅ２）。
【請求項２３】
前記電気プラグ（６００）の前記読取器手段（６３０）は、光源と、光検出器と、を有し、且つ、前記コンセント（５００）の前記識別手段（５３０）は、前記電気プラグ（６００）が前記コンセント（５００）に挿入された際に、前記光源によって放出された光を前記光検出器に向かって反射するように適合された光反射器要素（５３０）を備える請求項１９に記載の電気組立体（Ｅ３）。
【請求項２４】
前記電気プラグ（８００）の前記読取器手段（８３０）は、機械スイッチ（７３０）を含む第２電気回路を有し、且つ、前記コンセント（７００）の前記識別手段（７３０）は、前記コンセント（７００）の前記受入凹部内に突出すると共に前記電気プラグ（８００）が前記コンセント（７００）に挿入された際に前記スイッチ（８３１）を作動させるように適合されたプッシャ要素（７３０）を備える請求項１９に記載の電気組立体（Ｅ４）。
【請求項２５】
前記電気プラグ（１０００）の前記読取器手段（１０３０）は、前記電気プラグ（１０００）から突出した２本の金属ロッド（１０３１）に跨って開路状態にある第２電気回路を有し、且つ、前記コンセント（９００）の前記識別手段（９３０）は、前記電気プラグ（１０００）が前記コンセント（９００）に挿入された際に前記第２電気回路を閉路するように適合された更なる電気接触要素（９３０）を備える請求項１９に記載の電気組立体（Ｅ５）。
【発明の詳細な説明】
【技術分野】
【０００１】
本発明は、一般に、コンセントの分野に関する。
【０００２】
本発明は、更に詳しくは、コンセントの固有特性に依存すると共に既定の最大電流を有する電気信号を連続的に且つ損傷を伴うことなしに供給するのに適するように、所与の固有特性を有するコンセントの分野に関する。
【０００３】
本発明は、電気自動車の電池の充電に専用であると共に１６アンペア（Ａ）に等しい最大電流を供給するコンセントの提供に、特に有利な用途を有する。
【０００４】
又、本発明は、電気プラグと、それぞれがコンセント及び電気プラグを備える電気組立体と、の分野にも関する。
【背景技術】
【０００５】
自動車の電池を充電するには、電池は、通常は１４Ａに等しい電流を通過させると共にこれを数時間にわたって実行し続ける必要がある。
【０００６】
従って、実用の観点において、ユーザーは、自動車の電池を１６Ａ用に規格化された標準的な家庭用コンセントにプラグ接続することが有利である。
【０００７】
理論的には、このタイプのコンセントは、規格化された持続時間にわたる１６Ａ以下の電流の供給を可能にする固有特性を有している。
【０００８】
しかしながら、このタイプのコンセントは、供給電流が通常は１４Ａ又は１６Ａ未満である通常の家庭内使用のために規定された規格要件を充足しており、このようなコンセントは、自動車の電池の充電に必要とされる周期及び持続時間を下回る周期において且つ持続時間にわたって使用される。
【０００９】
更には、実際には、ユーザーの家庭に設置されているコンセントの固有特性は、コンセントごとに異なる場合もあり、且つ、時間とともに変化する場合もある。このような特性を確実に知ることは不可能である。
【００１０】
又、規格に準拠していないコンセントにユーザーが遭遇する可能性もある。
【００１１】
コンセントの固有特性に関するこのような不確実性と、従って、数時間にわたって且つ定期的に１４Ａ以上の電流を供給するための適合性に関するこのような不確実性は、許容可能なものではなく、その理由は、それにより、人々の安全と設備の安全が危うくなるからである。
【００１２】
電気自動車の充電などの新しい家庭内用途は、規格特性の限度にまでコンセントを酷使する場合があり、従って、損傷を伴うことなしにコンセントの最大容量を活用するには、且つ、具体的には、コンセントが損傷を伴うことなしに連続的に供給するように適合されている最大電流を活用するには、使用するコンセントのタイプ及び品質に関する正確な知識が必要である。
【００１３】
特許文献１に記述されているコンセントは、コンセントにプラグ接続された電気器具に関するデータを表すパイロット信号をユーザーに供給するための識別手段を含むという点において、この問題に対する第１の応答を提供する。パイロット信号は、そのコンセントがその電気器具と共に使用するのに適していないことをユーザーに通知する光信号である。
【００１４】
このコンセントの欠点は、コンセントによって供給される電気信号に関する情報をプラグ接続されている電気器具に対して直接的に付与することができないという点にある。
【００１５】
この結果、電気器具は、プラグ接続されているコンセントに対して自身の動作を適合させることができない。
【００１６】
更には、設備及び人々の安全が保証されてはおらず、その理由は、不注意なユーザーが不適切な電気器具をコンセントに対してプラグ接続する場合があるからである。
【００１７】
特許文献２及び特許文献３は、電気信号をコンセントからプラグに対して伝達することができるように、それぞれがコンセントと電気プラグとから構成され、コンセントがプラグを認識できるようにする手段を含む電気組立体を開示している。
【００１８】
特許文献４及び特許文献５もまた、それぞれがコンセントと電気プラグとから構成され、コンセントとその関連するプラグの間における接触の欠如又は電気接触障害をコンセントが認識できるようにする手段を含む電気組立体を開示している。
【先行技術文献】
【特許文献】
【００１９】
【特許文献１】仏国特許出願公開第２９４３４６８号明細書
【特許文献２】仏国特許出願公開第２９４９２８０号明細書
【特許文献３】国際特許出願公開第２００７／０７２５８１号明細書
【特許文献４】欧州特許出願公開第２２３０７２９号明細書
【特許文献５】欧州特許出願公開第０４４８０８４号明細書
【発明の概要】
【発明が解決しようとする課題】
【００２０】
しかしながら、これらの組立体の場合には、そのいずれにおいても、コンセントは、コンセントが損傷を伴うことなしに供給するように適合されている最大電流について電気プラグに通知する信号を生成することができない。
【課題を解決するための手段】
【００２１】
上述の従来技術の欠点を克服するために、本発明は、コンセントに対して接続された電気器具の電気プラグと通信するように適合された新しいタイプのコンセントを提案する。
【００２２】
更に詳しくは、本発明は、損傷を伴うことなしにコンセントによって供給することができる電気信号の最大電流を表すパイロット信号を生成するように、電気プラグと通信又は協働するように適合された識別手段を含む上述のコンセントを提案する。
【００２３】
従って、このコンセントは、前記コンセントの損傷を伴うことなしにコンセントが供給することができる電気信号の最大電流の関数として前記電気器具が自身の動作を変更できるようにするべく、プラグが電気器具に転送することができるパイロット信号を前記プラグに供給するように、自身に接続された電気プラグと直接的に通信又は協働する。
【００２４】
パイロット信号は、コンセントが供給することができる電気信号の関数として決定される。供給することができる電気信号は、損傷を伴うことなしにコンセントが供給することができる最大電流に依存しているが、電気信号は、更に詳しく後述するコンセントのその他の固有特性に依存したものであってもよい。
【００２５】
本発明のコンセントは、以下のような非限定的且つ有利なその他の特性を有する。
・前記識別手段は、磁石を有し、
・前記磁石は、コンセントの受入凹部（ｒｅｃｅｐｔｉｏｎ  ｗｅｌｌ）の壁の近傍において、コンセントのケーシング内に配置され、
・前記識別手段は、光源を有し、
・前記光源は、発光ダイオードを有し、
・前記識別手段は、ライトガイドを有し、
・前記識別手段は、光反射器を有し、
・前記光反射器要素は、ミラーであり、
・前記識別手段は、非導電性であると共にコンセントの前面部分から突出しているプッシャ要素（ｐｕｓｈｅｒ  ｅｌｅｍｅｎｔ）を有し、且つ、
・前記識別手段は、コンセントによって電力供給されない更なる電気接触要素を備える。
【００２６】
又、本発明は、コンセントの固有特性に依存する既定の最大電流を有する電気信号を連続的に且つ損傷を伴うことなしに供給するのに適するように所与の固有特性を有するコンセントにプラグ接続されるように適合され、且つ、損傷を伴うことなしにコンセントが供給することができる電気信号の前記最大電流を表すパイロット信号を生成するように、電気プラグと通信又は協働するように適合された識別手段を含む電気プラグをも提供し、この場合に、前記電気プラグは、前記識別手段と協働すると共に前記パイロット信号を電気プラグに供給するように適合された読取器手段を含む。
【００２７】
本発明の電気プラグは、以下のような非限定的且つ有利なその他の特性を有する。
・前記読取器手段は、ホール効果センサを備え、
・前記読取器手段は、磁界に対する感度を有するリードスイッチを備え、
・前記読取器手段は、光検出器を備え、
・前記読取器手段は、ライトガイドを備え、
・前記読取器手段は、光源と、光検出器と、を備え、
・前記読取器手段は、第２電気回路の機械スイッチを備え、且つ、
・前記読取器手段は、電気プラグから突出する２本の金属ロッドと、２本の金属ロッドに跨って開路状態にある第２電気回路と、を備える。
【００２８】
最後に、本発明は、コンセントと、前記コンセントにプラグ接続されるように適合された電気プラグと、を備える電気組立体を提供し、コンセントは、コンセントの固有特性に依存する既定の最大電流を有する電気信号を連続的に且つ損傷を伴うことなしに供給するのに適するように、所与の固有特性を有し、且つ、損傷を伴うことなしにコンセントが供給することができる電気信号の前記最大電流を表すパイロット信号を生成するように、電気プラグの読取器手段と通信又は協働するように適合された識別手段を含む。
【００２９】
本発明の電気組立体は、以下のような非限定的且つ有利なその他の特性を有する。
・コンセントの前記識別手段は、磁石を有し、且つ、電気プラグの前記読取器手段は、電気プラグが前記コンセントに挿入された際に前記パイロット信号を出力するように適合されたホール効果センサを有し、
・コンセントの前記識別手段は、磁石を有し、且つ、電気プラグの前記読取器手段は、磁界に対する感度を有すると共に電気プラグがコンセントに挿入された際に状態を変化させるように適合されたリードスイッチを含む第２電気回路を有し、
・コンセントの前記識別手段は、光源を有し、且つ、電気プラグの前記読取器手段は、電気プラグがコンセントに挿入された際に前記光源によって放出された光ビームを受け取るように適合された光検出器を有し、
・電気プラグの前記読取器手段は、光源と、光検出器と、を有し、且つ、コンセントの前記識別手段は、電気プラグがコンセントに挿入された際に前記光源によって放出された光を前記光検出器に向かって反射するように適合された光反射器要素を有し、
・電気プラグの前記読取器手段は、機械スイッチを含む第２電気回路を有し、且つ、コンセントの前記識別手段は、コンセントの受入凹部内に突出すると共に電気プラグがコンセントに挿入された際にスイッチを作動させるように適合されたプッシャ要素を有し、且つ、
・電気プラグの前記読取器手段は、電気プラグから突出する２本の金属ロッドに跨って開路状態にある第２電気回路を有し、且つ、コンセントの前記識別手段は、電気プラグがコンセントに挿入された際に前記第２電気回路を閉じるように適合された更なる電気接触要素を備える。
【００３０】
添付図面を参照して提供される非限定的な例に関する以下の説明を参照することにより、本発明の構成要素及び本発明の実施方法について理解することができよう。
【００３１】
添付図面には、以下の図面が含まれる。
【図面の簡単な説明】
【００３２】
【図１】本発明の第１実施形態によるコンセント及び電気プラグの概略図である。
【図２】図１の電気プラグ及び従来のコンセントの概略図である。
【図３】本発明の第２実施形態によるコンセント及び電気プラグの概略図である。
【図４】本発明の第３実施形態によるコンセント及び電気プラグの概略図である。
【図５】本発明の第４実施形態によるコンセント及び電気プラグの概略図である。
【図６】本発明の第５実施形態によるコンセント及び電気プラグの概略図である。
【図７】本発明の第１実施形態によるＦｒａｎｃｏ−Ｂｅｌｇｉａｎ規格のコンセント実施例の概略正面斜視図である。
【図８】そのケーシングを有していない図７のコンセントの概略背面斜視図である。
【図９】図７のコンセントの概略正面図である。
【図１０】図９のコンセントの軸Ａ−Ａにおける概略断面図である。
【図１１】図９のコンセントの軸Ｃ−Ｃにおける概略断面図である。
【図１２】図７のコンセントと協働するのに適した電気プラグの概略正面斜視図であり、電気プラグの前面部分が部分的に切り取られた状態において示されている。
【図１３】図１２の電気プラグの概略側面図であり、電気プラグの前面部分が部分的に切り取られた状態において示されている。
【図１４】図１２及び図１３の電気プラグの内側部分の概略斜視図である。
【図１５】図１２〜図１４の電気プラグの代替実施形態の概略図である。
【図１６】図７に示されている第１実施形態のＦｒａｎｃｏ−Ｂｅｌｇｉａｎ規格のコンセント実施例の一変形における、そのケーシングを伴うことなしに示されたコンセントの概略背面斜視図である。
【図１７】Ｆｒａｎｃｏ−Ｂｅｌｇｉａｎ規格による図３の実施形態によるコンセント及び電気プラグの斜視図である。
【図１８】Ｆｒａｎｃｏ−Ｂｅｌｇｉａｎ規格による図４の実施形態によるコンセント及び電気プラグの斜視図である。
【図１９】図１８のコンセントの長手方向断面図である。
【図２０】独国の「ｓｃｈｕｋｏ」規格による第１実施形態のコンセントの一例の概略正面斜視図である。
【図２１】図２０のコンセントの概略正面図である。
【図２２】図２１のコンセントの面Ｄ−Ｄにおける概略断面図である。
【図２３】図２０のコンセントの一部分の分解概略図である。
【図２４】図２０のコンセントと協働するのに適した電気プラグの部分的に切り取られた概略斜視図である。
【図２５】米国規格による第１実施形態のコンセントの一例の概略正面図である。
【図２６】図２５のコンセントの面Ｅ−Ｅにおける概略断面図である。
【図２７】図２５のコンセントの一部分の分解概略図である。
【図２８】図２５のコンセントと協働するのに適した電気プラグの部分切取り概略斜視図である。
【図２９】図２８のプラグの概略断面図である。
【発明を実施するための形態】
【００３３】
まず、図面ごとに、本発明の様々な実施形態の同一又は類似の要素は、可能な限り、同一の参照符号又は対応する参照符号を使用して参照されており、且つ、それらについては、その都度説明しないという点に留意されたい。
【００３４】
図１及び図３〜図６は、本発明の電気組立体の５つの実施形態Ｅ１、Ｅ２、Ｅ３、Ｅ４、Ｅ５を概略図の形態において示している。
【００３５】
それぞれの電気組立体Ｅ１、Ｅ２、Ｅ３、Ｅ４、Ｅ５は、本発明のそれぞれごとに、コンセント１００Ａ、１００Ｂ、１００Ｃ、１００Ｄ、３００、５００、７００、９００と、電気プラグ２００Ａ、２００Ｂ、２００Ｃ、２００Ｄ、４００、６００、８００、１０００と、を備える。
【００３６】
図２は、本発明のプラグと、本発明の一部分を形成してはいない従来のコンセント１０と、を示している。
【００３７】
更に詳しくは、図１〜図１１、図１６〜図２３、及び図２５〜図２７は、本発明のコンセントのいくつかの実施形態を示している。
【００３８】
図１２〜図１５、図１７、図１８、図１９、図２４、図２８、及び図２９は、本発明の電気プラグのいくつかの実施形態を示している。
【００３９】
本発明のコンセント１００Ａ、１００Ｂ、１００Ｃ、１００Ｄ、３００、５００、７００、９００は、損傷を伴うことなしに電気信号を連続的に供給するように適合されている。
【００４０】
電気信号は、コンセントに固有の物理特性と、コンセントの電源と、に依存する既定の特性を有する。
【００４１】
コンセントによって供給される電気信号は、アンペアを単位とする供給電流を、コンセントの端子に跨って計測されるその電圧を、又は交流電気信号のヘルツを単位とする周波数を、或いは、電気信号の電力を、特徴としてもよい。具体的には、その特性は、コンセントによって供給される電気信号と関連する任意の物理的な大きさであってもよい。
【００４２】
「コンセントの固有特性」という用語は、具体的には、コンセントがどれだけ高温になるのかと、コンセントが動作中に耐えることができる温度と、を決定する物理特性を意味している。
【００４３】
例えば、コンセントの固有特性は、その内部抵抗値、その形状、及びそのコンセントの製造に使用される絶縁材料及び導電材料である。
【００４４】
コンセントが供給するように適合されている最大電流は、具体的には、コンセントの固有特性に依存している。
【００４５】
「最大電流」という用語は、コンセントが損傷を伴うことなしに既定の時間にわたって供給することができる電気信号の最大電流を意味している。この既定の時間においては、コンセントは、電流を連続的に供給する。自動車を充電するためには、この既定の時間は、自動車の電池を充電するための通常の持続時間に少なくとも対応しており、この持続時間は、４時間（ｈ）〜２４ｈの範囲であってもよい。
【００４６】
当然のことながら、電流を遮断するための遮断器手段を前記コンセント内に設けることができる。
【００４７】
顕著な方式により、本発明においては、コンセント１００Ａ、１００Ｂ、１００Ｃ、１００Ｄ、３００、５００、７００、９００は、コンセントが損傷を伴うことなしに供給するように適合された最大電流を表すパイロット信号を前記プラグに供給するように、電気プラグ２００Ａ、２００Ｂ、２００Ｃ、２００Ｄ、４００、６００、８００、１０００と通信又は協働するように適合された識別手段１３０Ａ、１３０Ｂ、１３０Ｃ、１３０Ｄ、３３０、５３０、７３０、９３０を含む。
【００４８】
従って、パイロット信号は、最大電流を決定するコンセントの固有特性に依存している。
【００４９】
又、パイロット信号は、所与の瞬間において供給される電流に、コンセントの端子に跨る電圧に、交流電気信号の周波数に、又は電気信号の電力に依存したものであってもよい。
【００５０】
従って、本発明のコンセントは、コンセントが損傷することなしに前記コンセントが供給することができる最大電流について前記プラグに通知するパイロット信号をプラグ接続された電気プラグに転送するように適合されている。本発明の電気プラグは、パイロット信号を受け取るか又は生成するように、且つ、パイロット信号を電気プラグに接続された電気器具に対して転送するように、コンセントと通信するべく適合されている。
【００５１】
従って、電気器具は、コンセントによって発せられるパイロット信号の関数として自身の動作を適合させるようにプログラムしてもよい。
【００５２】
本発明のコンセントは、更に詳しくは、１６Ａを超えない電流を絶えず伝達するように適合された固有特性を有しており、従って、この値は、コンセントが供給することができる最大電流を構成している。
【００５３】
一例として、本発明の電気プラグに接続される電気器具は、電気自動車であってもよい。
【００５４】
具体的には、コンセントは、電気自動車の電池の充電に専用のコンセントである。具体的には、本発明のコンセントは、１４Ａに等しい充電電流を供給するように適合されている。
【００５５】
従って、この実施形態においては、パイロット信号は、この１４Ａの充電電流によって自動車の電池を充電するために必要とされる固有特性をコンセントが実際に有していることをコンセントにプラグ接続された電気プラグに対して通知する。
【００５６】
換言すれば、コンセントは、前記プラグがこのように電気自動車に対して直接的に転送してもよいパイロット信号を電気プラグに対して出力するように、電気プラグと通信し、この信号は、コンセントが損傷を伴うことなしに供給することができる電流の最大値を通知している。
【００５７】
この結果、電気自動車は、最大電流値を超過することを回避するべく、自動車の電池が充電目的のためにコンセントから引き出してもよい電流の値を調節することができる。
【００５８】
実際には、パイロット信号は、２値信号であり、コンセントによって発せられるパイロット信号の存在は、コンセントが最大で１６Ａの大電流を供給するように適合されていることを通知する。
【００５９】
転送されるパイロット信号の欠如又はゼロに等しいパイロット信号は、そのコンセントが、損傷を伴うことなしに８Ａ超の電流を供給する能力を有することが確かではない標準的なコンセントであることを通知している。
【００６０】
従って、電気自動車の電池の電気プラグが、コンセントが１６Ａの電流を供給するように適合されていることを通知するパイロット信号を転送した際には、電池は、最適化された条件下において充電され、且つ、自動車の電池は、通常の充電持続時間にわたって１４Ａの充電電流を引き出すことになる。
【００６１】
電気自動車の電池をコンセントに対して接続している電気プラグが、そのコンセントが１６Ａの電流を供給する能力を有していることが確かではないと通知するパイロット信号を転送した場合には、自動車の電池は、コンセントの損傷を伴うことなしに電池を充電するように、例えば、８Ａに等しいものなどの１６Ａ未満の電流を通常の充電持続時間よりも長い持続時間にわたって引き出すことになる。
【００６２】
従って、自動車は、設備を危険に晒すことなしに、自身が接続されているコンセントの関数として自身の充電時間を最適化させることができる。
【００６３】
この目的のために、実際には、電気プラグ２００Ａ、２００Ｂ、２００Ｃ、２００Ｄ、４００、６００、８００、１０００は、コンセント１００Ａ、１００Ｂ、１００Ｃ、１００Ｄ、３００、５００、７００、９００に対してプラグ接続されるように適合されており、且つ、コンセントの識別手段１３０Ａ、１３０Ｂ、１３０Ｃ、１３０Ｄ、３３０、５３０、７３０、９３０と通信すると共に前記パイロット信号を転送するように適合された読取器手段２３０Ａ、２３０Ｂ、２３０Ｃ、２３０Ｄ、４３０、６３０、８３０、１０３０を含む。
【００６４】
コンセントと電気プラグのペアの様々な実施形態が想定されよう。
【００６５】
図１及び図２に概略的に示されると共に図７〜図１１、図１６、図２０〜図２３、及び図２５〜図２７に更に正確に示されている本発明のコンセントの好適な第１実施形態１００Ａ、１００Ｂ、１００Ｃ、１００Ｄにおいては、コンセントの前記識別手段１３０Ａ、１３０Ｂ、１３０Ｃ、１３０Ｄは、少なくとも１つの磁石１３３Ａ、１３３Ｂ、１３３Ｃ、１３３Ｄを備える。
【００６６】
図７〜図１１及び図１６は、Ｆｒａｎｃｏ−Ｂｅｌｇｉａｎ規格、具体的には、ＮＦ  Ｃ  ６１−３１４規格によるこのようなコンセントの２つの例を示している。図２０〜図２３は、独国のＤＩＮ４９４４０規格によるこのようなコンセントの一例を示しており、且つ、図２５〜図２７は、ＵＬ  ＡＮＳＩ／ＮＥＭＡ  ＷＤ６規格によるこのようなコンセントの一例を示している。
【００６７】
磁石１３３Ａ、１３３Ｂ、１３３Ｃ、１３３Ｄは、コンセント１００Ａ、１００Ｂ、１００Ｃ、１００Ｄのパイロット信号を構成する磁界を生成する。従って、この実施形態においては、識別手段は、能動的な手段である。この実施形態においては、識別手段は、永久磁石である。
【００６８】
更には、図７〜図１１、図１６、及び図２５〜図２７に示されているコンセントは、１つの磁石のみを含んでいる。しかしながら、コンセント実施例のそれぞれにおける複数の磁石の使用を想定することもできる。図２０〜図２３に示されているコンセント実施例は、更に詳細に後述するように、例えば、２つの磁石を含む。
【００６９】
コンセント１００Ａ、１００Ｂ、１００Ｃ、１００Ｄは、装置メカニズム１５０Ａ、１５０Ｂ、１５０Ｃ、１５０Ｄと、装置メカニズム１５０Ａ、１５０Ｂ、１５０Ｃ、１５０Ｄの前面上に装着されるトリムカバー１４０Ａ、１４０Ｂ、１４０Ｃ、１４０Ｄと、を備える。
【００７０】
コンセント１００Ａ、１００Ｃ、１００Ｄの背面は、図７、図９〜図１１、図２０〜図２２、及び図２５、図２６に示されているケーシング１６０Ａ、１６０Ｃ、１６０Ｄによって閉じられている。図１６のコンセントのケーシングは、図示されてはいないが、図９〜図１１のケーシングに類似している。
【００７１】
この実施形態においては、コンセント１００Ａ、１００Ｂ、１００Ｃ、１００Ｄは、受入壁上における表面実装用である。又、一変形においては、コンセントを受入壁内に埋め込むことを想定することもできる。
【００７２】
図７〜図１１に示されている実施形態においては、装置メカニズム１５０Ａは、絶縁材料から製造された基部を含み、この基部は、ケーシング内に設けられた個別の相補的な取付けラグを受け入れるように適合された個別の受入凹部を形成するタブ１５１Ａによってケーシング内において取り付けられている（図８）。
【００７３】
Ｆｒａｎｃｏ−Ｂｅｌｇｉａｎ規格による図７〜図１１、図１６、及び図２０〜図２３のコンセント１００Ａ、１００Ｂ、１００Ｃにおいては、コンセント１００Ａ、１００Ｂ、１００Ｃの受入凹部を形成するトリム１４２Ａ、１４２Ｂ、１４２Ｃが装置メカニズムの基部の前面上において装着され、且つ、トリムカバー１４０Ａ、１４０Ｂ、１４０Ｃの前面１４１Ａ、１４１Ｂ、１４１Ｃから突出している（図７、図１６、及び図２０）。
【００７４】
ＵＬ規格による図２５〜図２７のコンセント１００Ｄにおいては、後述するように、コンセントの端子にアクセスするためのアクセス開口部を含むプレーントリムプレート１４５Ｄが装置メカニズムの基部の前面上において装着され、且つ、実質的にトリムカバー１４０Ｄの前面１４１Ｄの平面内に広がっている（図２５及び図２６）。
【００７５】
コンセントの規格とは無関係に、この実施形態においては、トリムカバー１４０Ａ、１４０Ｂ、１４０Ｃ、１４０Ｄは、Ｆｒａｎｃｏ−Ｂｅｌｇｉａｎ及び独国規格のコンセント１００Ａ、１００Ｂ、１００Ｃの受入凹部に対するアクセスを閉鎖するように、或いは、ＵＬ規格によるコンセント１００Ｄのトリムプレート１４５Ｄ内の開口部に対するアクセスを閉鎖するように、トリムカバー１４０Ａ、１４０Ｂ、１４０Ｃ、１４０Ｄの前面上において枢動可能に取り付けられたフラップ１４６Ａ、１４６Ｂ、１４６Ｃ、１４６Ｄを更に含む。
【００７６】
ケーシング１６０Ａ、１６０Ｃ、１６０Ｄは、背面壁１６３Ａ、１６３Ｃ、１６３Ｄに対して垂直に延びる４つの側面壁１６１Ａ、１６１Ｃ、１６１Ｄによって取り囲まれた背面壁１６３Ａ、１６３Ｃ、１６３Ｄを含む（図１０、図１１、図２２、及び図２６）。
【００７７】
ケーシング１６０Ａ、１６０Ｃ、１６０Ｄの前面は、トリムカバー１４０Ａ、１４０Ｃ、１４０Ｄによって閉じられている。背面壁１６３Ａ、１６３Ｃ、１６３Ｄは、コンセント１００Ａ、１００Ｃ、１００Ｄとコンセントが突出する受入壁の間において封止ガスケットとして機能する曲がり易いリム１６２Ａ、１６２Ｃ、１６２Ｄによって取り囲まれている。
【００７８】
図１０及び図１１に示されているコンセント実施例においては、ケーシング１６０Ａの側面１６１Ａのうちの１つは、圧縮グランド１６５Ａが挿入される円形の開口部１６４Ａを含み、これを介して、コンセント１００Ａの電源ワイヤ（図示されてはいない）がケーシング１６０Ａに進入する。類似の円形開口部が、図２１、図２２、及び図２５、図２６に示されているコンセント実施例のケーシング１６０Ｃ、１６０Ｄ内にも提供される。これらは、圧縮グランド１６５Ｃ、１６５Ｄを受け入れる。
【００７９】
図１６のコンセントのケーシングは、図１０及び図１１のケーシング１６０Ａに類似しており、且つ、従って、トリムカバー１４０Ｂがケーシングの前面を閉じている。
【００８０】
従来の方式により、装置メカニズム１５０Ａ、１５０Ｂ、１５０Ｃ、１５０Ｄの基部は、コンセント１００Ａ、１００Ｂ、１００Ｃ、１００Ｄの前記ラインワイヤ、中性ワイヤ、及び接地ワイヤに対して電気的に接続されるように適合された端子を支持している。
【００８１】
Ｆｒａｎｃｏ−Ｂｅｌｇｉａｎ規格によるコンセントの場合には（図７〜図１１、及び図１６）、接地端子に接続されたピン１２０Ａがコンセントの受入凹部内に突出している。
【００８２】
独国規格によるコンセントの場合には（図２０〜図２３）、接地端子に接続された２つのスプリング接点１２０Ｃが凹部の側面壁に沿ってコンセントの受入凹部内に突出している。
【００８３】
ＵＬ規格によるコンセント１００Ｄの場合には（図２５及び図２６）、接地端子に接続されたセル１２０Ｄに対して、コンセント１００Ｄのトリムプレート１４５Ｄ内に形成された開口部を通じてアクセス可能である。
【００８４】
検討対象である規格とは無関係に、コンセント１００Ａ、１００Ｂ、１００Ｃの受入凹部の背面壁内に又はコンセント１００Ｄのトリムプレート１４５Ｄ内に形成された２つの開口部は、コンセント１００Ａ、１００Ｂ、１００Ｃ、１００Ｄのライン端子及び中性端子に接続されたセル１１０Ａ、１１０Ｃ、１１０Ｄに対するアクセスを提供している。
【００８５】
電気端子が接続された際に、コンセント１００Ａ、１００Ｂ、１００Ｃ、１００Ｄは、損傷を伴うことなしに電気信号を連続的に供給する。
【００８６】
図１に示されている第１実施形態においては、識別手段１３０Ａ、１３０Ｂ、１３０Ｃ、１３０Ｄは、１つ又は複数の磁石１３３Ａ、１３３Ｂ、１３３Ｃ、１３３Ｄと、支持部１３１Ａ、１３１Ｂ、１３１Ｃ、１３１Ｄと、を有し、支持部１３１Ａ、１３１Ｂ、１３１Ｃ、１３１Ｄは、１つ又は複数の磁石１３３Ａ、１３３Ｂ、１３３Ｃ、１３３Ｄを受け入れる１つ又は複数のハウジング１３２Ａ、１３２Ｂ、１３２Ｃ、１３２Ｄを含む（図１０、図１６、図２２、及び図２６）。
【００８７】
一般に、１つ又は複数の磁石１３３Ａ、１３３Ｂ、１３３Ｃ、１３３Ｄは、１つ又は複数の磁石１３３Ａ、１３３Ｂ、１３３Ｃ、１３３Ｄによって発せられる磁界が対応するコンセントの前面内に位置した既定の空間のある領域内において所与の最小値を有するような方式により、コンセント１００Ａ、１００Ｂ、１００Ｃ、１００Ｄ内に配置されている。
【００８８】
従って、コンセント１００Ａ、１００Ｂ、１００Ｃ、１００Ｄは、プラグ接続された様々な異なる電気プラグと通信することができる。使用される電気プラグは、読取器手段を有してもよく、この読取器手段は、プラグの様々な場所に置くことができる。
【００８９】
又、磁界は、コンセント１００Ａ、１００Ｂ、１００Ｃ、１００Ｄ内に収容された１つ又は複数の磁石１３３Ａ、１３３Ｂ、１３３Ｃ、１３３Ｄによって発せられる磁界が、例えば、別のコンセントなどの近傍に位置するその他の電気装置を妨げないように、前面内に且つ／又はコンセントの周りに位置した既定の空間の別の領域内において望ましい最大値を有する。
【００９０】
従って、一般的な規則として、コンセントの前面に可能な限り近接した状態において、１つ又は複数の磁石１３３Ａ、１３３Ｂ、１３３Ｃ、１３３Ｄを位置決めすることが望ましく、この結果、電気プラグがコンセントにプラグ接続される場所において十分に強力であると共にその他の近傍の電気装置の動作を妨げることを防止するためにコンセントの外部においては十分に弱い磁界を得ることができる。
【００９１】
図７〜図１１及び図１６に示されているＦｒａｎｃｏ−Ｂｅｌｇｉａｎ規格による２つのコンセント実施例１００Ａ、１００Ｂにおいては、磁石１３３Ａ、１３３Ｂの位置と、その磁界の特性は、磁石１３３Ａ、１３３Ｂによって発せられる磁界が上述の特性を有するように、決定されている。
【００９２】
特性は、以下のように規定された正確な空間領域Ｒ内において判定される。
【００９３】
図９及び図１０において破線及びハッチングによって示されている空間領域Ｒは、４．８ミリメートル（ｍｍ）に等しい直径の円筒形の領域である。円筒形の領域Ｒの軸は、コンセントの接地端子に接続されたピン１２０Ａの軸を含むと共にコンセント１００Ａのライン端子及び中性端子に接続されたセル１１０Ａに対するアクセスを付与する受入凹部の背面壁内の開口部の中心を介して通過している平面に対して垂直である平面から７．７ｍｍに等しい距離Ｄ１に位置している。
【００９４】
又、対象の円筒形領域Ｒの軸は、コンセント１００Ａのライン端子及び中性端子に接続されたセル１１０Ａに対するアクセスを付与する受入凹部の背面壁内の開口部の中心を含む平面から９．９ｍｍに等しい距離Ｄ２に位置している。
【００９５】
同一の規格の図１６のコンセント１００Ｂについて同一の領域を規定してもよい。
【００９６】
円筒形の領域Ｒ内においては、コンセント１００Ａ、１００Ｂの受入凹部の背面壁において、コンセント１００Ａ、１００Ｂの磁石１３３Ａ、１３３Ｂによって発せられる磁界は、１４ミリテスラ（ｍＴ）に等しい第１閾値を上回っている。
【００９７】
円筒形の領域Ｒ内においては、コンセント１００Ａ、１００Ｂの受入凹部の背面壁から１５ｍｍに等しい距離Ｈ１において、コンセント１００Ａ、１００Ｂの磁石１３３Ａ、１３３Ｂによって発せられる磁界は、２ｍＴに等しい第２閾値を上回っている。コンセントの受入凹部の背面壁から１５ｍｍの距離は、Ｆｒａｎｃｏ−Ｂｅｌｇｉａｎ規格によるコンセント１００内の受入凹部の自由縁の位置に対応している。
【００９８】
最後に、円筒形の領域Ｒ内においては、コンセント１００Ａ、１００Ｂの受入凹部の背面壁から２１ｍｍに等しい距離Ｈ２において、コンセント１００Ａ、１００Ｂの磁石１３３Ａ、１３３Ｂによって発せられる磁界は、２ｍＴに等しい第２閾値を下回っている。
【００９９】
図７〜図１１に示されているコンセント１００Ａにおいては、支持部１３１Ａは、前記ハウジング１３２Ａを形成する１つのブランチを有するＬ形状の部分によって構成されており、且つ、その他方のブランチは、例えば、ねじ固定による又はクリンピングによるなどのように、装置メカニズム１５０Ａの基部上において取り付けるための取付け手段を含む。
【０１００】
一変形においては、支持部は、コンセントのケーシング又はトリムカバー上において取り付けてもよい。但し、様々なコンセントケーシング内に挿入可能な要素を形成するように、コンセントの識別手段を装置メカニズムの基部に対して固定することが有利である。
【０１０１】
この結果、識別手段を除去した後にそれらを元の位置に戻すことを要することなしに、コンセントのケーシング又はトリムカバーを変更することができる。
【０１０２】
有利には、ハウジング１３２Ａは、円筒形の空洞の形態を有しており、且つ、磁石１３３Ａは、ハウジング１３２Ａ内に摺動するバーの形態を有する。
【０１０３】
一例として、磁石１３３Ａは、２５．４ｍｍの長さと、６．３５ｍｍの直径と、１．６キログラム（ｋｇ）の吸着力と、を有する。
【０１０４】
磁石は、Ｎ４２という基準を特徴とした磁化を有する永久磁石であってもよく、これは、磁石１３３Ａのエネルギー密度が４２メガガウスエルステッド（ＭＧＯｅ）であり、且つ、最高で８０℃の周辺温度まで使用してもよいことを意味している。
【０１０５】
その被覆は、例えば、ニッケルから製造される。
【０１０６】
この実施形態においては、磁石１３３Ａは、受入凹部内に挿入された際に電気プラグ２００Ａに近接するように、コンセント１００Ａの受入凹部の壁の近傍に配置されている。
【０１０７】
この実施形態においては、支持部１３１ＡのＬ字形状により、コンセント１００Ａの受入凹部の背面壁に可能な限り近接した状態において磁石１３３Ａを保持することができる。
【０１０８】
この実施形態においては、磁石１３３Ａは、コンセント１００Ａの受入凹部の背面壁に対して平行に延びている。
【０１０９】
図１６は、磁石１３３Ｂの支持部及び位置のみが異なる第１実施形態の一変形を示している。
【０１１０】
この結果、磁石１３３Ｂの強度、即ち、磁石１３３Ｂによって発せられる磁界の特性は、上で規定された空間領域内における磁界の強度が上述の条件を尊重するような方式により、調節される。
【０１１１】
図１６に示されている変形においては、磁石１３３Ｂの支持部１３１Ｂは、装置メカニズム１５０Ｂの基部内に形成されたクレードル１３１１と、トリムカバー１４０Ｂの背面から突出するスリーブ１３１２と、を備える。
【０１１２】
クレードル１３１１及びスリーブ１３１２は、それぞれ、受入凹部の背面壁に対して垂直に、コンセント１００Ｂの受入凹部の軸に沿って延びる磁石１３３Ｂの一端を受け入れている。
【０１１３】
この実施形態においては、磁石１３３Ｂは、コンセント１００Ｂの受入凹部の側面壁に近接している。
【０１１４】
図２０〜図２３に示されている独国規格による「ｓｃｈｕｋｏ」タイプのコンセント実施例１００Ｃにおいては、図２２及び図２３において示されるように、２つの磁石１３３Ｃが設けられている。
【０１１５】
２つの磁石１３３Ｃの存在により、有利には、電気プラグがコンセントに挿入される方向とは無関係に、コンセント１００Ｃは、後述する対応する電気プラグ２００Ｃと通信することができる。
【０１１６】
「ｓｃｈｕｋｏ」タイプのコンセント１００Ｃの構成は、コンセントの凹部の中心軸を中心として互いに１８０度に位置した２つの向きにおいてコンセントの凹部にプラグを挿入できるようなものになっている。
【０１１７】
この構成においては、磁石１３３Ｃの位置と、それらの磁界の特性とは、磁石１３３Ｃによって発せられる磁界が上述の特性を有するように決定されている。
【０１１８】
特性は、以下のように規定された２つの正確な空間領域Ｒ１及びＲ２内において判定される。
【０１１９】
図２１及び図２２において破線及びハッチングによって示されている空間領域Ｒ１及びＲ２は、４．８ｍｍに等しい直径の円筒形の２つの領域である。領域Ｒ１及びＲ２の軸は、コンセント１００Ｃのライン端子及び中性端子に接続されると共にコンセント１００Ｃのライン端子及び中性端子に接続されたセル１１０Ｃに対するアクセスを付与する受入凹部の背面壁内の開口部の中心を介して通過する平面ＰＣに平行である方向に沿って、１５．４ｍｍに等しい距離Ｄ４だけ、離れたセル１１０Ｃに対するアクセスを付与する受入凹部の背面壁内の開口部の中心を介して通過する平面ＰＣに対して垂直の方向に沿って、１９．８ｍｍに等しい距離Ｄ３だけ、離れている。領域Ｒ１及びＲ２の２つの軸を含む平面は、上で規定されたＰＣと接地端子に接続されたスプリング接点１２０Ｃの対称の平面ＰＳの交差点によって規定されるコンセント１００Ｃの中心軸ＡＣを含む。
【０１２０】
換言すれば、２つの軸は、中心軸ＡＣ上に位置する地点を中心として対称である。
【０１２１】
コンセント１００Ｃの受入凹部の背面壁における円筒形領域Ｒ１、Ｒ２のそれぞれにおいては、コンセント１００Ｃの磁石１３３Ｃによって発せられる磁界が、１４ｍＴに等しい前記第１閾値を上回っている。
【０１２２】
コンセント１００Ｃの受入凹部の背面壁から１５ｍｍに等しい距離Ｈ１における円筒形領域Ｒ１、Ｒ２のそれぞれにおいては、コンセント１００Ｃの磁石１３３Ｃによって発せられる磁界は、２ｍＴに等しい前記第２閾値を上回っている。
【０１２３】
最後に、コンセント１００Ｃの受入凹部の背面壁から２１ｍｍに等しい距離Ｈ２における円筒形領域Ｒ１、Ｒ２のそれぞれにおいては、コンセント１００Ｃの磁石１３３Ｃによって発せられる磁界は、２ｍＴに等しい前記第２閾値を下回っている。
【０１２４】
図２０〜図２３に示されている実施形態においては、磁石１３３Ｃの支持部１３１Ｃは、装置メカニズム１５０Ｃの基部によって構成されており、その内部には、２つのハウジング１３２Ｃが形成されている。
【０１２５】
それぞれのハウジング１３２Ｃは、円筒形の空洞の形態を有しており、且つ、対応する磁石１３３Ｃは、ハウジング１３２Ｃ内に摺動するバーの形態を有する。
【０１２６】
この実施形態においては、それぞれの磁石１３３Ｃは、コンセント１００Ｃの受入凹部の背面壁に対して垂直に延びている。
【０１２７】
２つの磁石１３３Ｃは、コンセントの上で規定された中心軸ＡＣを中心として対称をなす方向に沿って、コンセント１００Ｃ内において配置されている。これらは、コンセント１００Ｃの受入凹部の背面壁の背後において異なる距離に配置してもよい。但し、上述のように、これは、好ましくは、背面壁に対して可能な限り近接した状態において配置される。
【０１２８】
最後に、図２５及び図２６の米国規格による電気プラグの場合には、単一の磁石１３３Ｄが設けられており、この磁石１３３Ｄは、装置メカニズム１５０Ｄの基部によって構成された支持部１３１Ｄを有し、この内部には、ハウジング１３２Ｄが形成されている。
【０１２９】
磁石１３３Ｄは、ハウジング１３２Ｄ内に摺動するバーの形態を有しており、このバーは、この実施形態においては、装置メカニズム１５０Ｄを閉じるトリムプレート１４５Ｄに対して平行に延びる軸を有する。この実施形態においては、磁石１３３Ｄは、装置メカニズム１５０Ｄの基部のコーナーのうちの１つのコーナーの内部において、トリムプレート１４５Ｄに対して可能な限り近接した状態において保持される。この実施形態においては、磁石１３３Ｄは、トリムプレート１４５Ｄの内部面との接触状態にあり、且つ、装置メカニズム１５０Ｄの内部に向かって方向付けされている。
【０１３０】
図１２〜図１５及び図２４に示されている電気プラグ２００Ａ、２００Ｂ、２００Ｃは、Ｆｒａｎｃｏ−Ｂｅｌｇｉａｎ規格によるコンセント１００Ａ、１００Ｂと協働するように適合されている。
【０１３１】
又、図２４に示されている電気プラグ２００Ｃは、独国規格によるコンセント１００Ｃと協働するようにも適合されている。
【０１３２】
最後に、図２８及び図２９に示されている電気プラグ２００Ｄは、ＵＬ規格によるコンセント１００Ｄと協働するように適合されている。
【０１３３】
従来の方式により、それぞれの電気プラグ２００Ａ、２００Ｂ、２００Ｃ、２００Ｄは、２つの金属電気接続ピン２２１Ａ、２２１Ｂ、２２１Ｃ、２２１Ｄを収容する絶縁性の本体２１０Ａ、２１０Ｃ、２１０Ｄ（図１５には図示されていない）を備えており、２つの金属電気接続ピン２２１Ａ、２２１Ｂ、２２１Ｃ、２２１Ｄは、本体の前面部分２２０Ａ、２２０Ｂ、２２０Ｃ、２２０Ｄから突出し、且つ、対応するコンセントのライン端子及び中性端子に接続されたセル１１０Ａ、１１０Ｃ、１１０Ｄにプラグ接続されるように適合されている。
【０１３４】
本体２１０Ａ、２１０Ｃ、２１０Ｄは、例えば、プラスチック材料を成形することにより、絶縁材料から製造される。
【０１３５】
図１２〜図１５及び図２４に示されている電気プラグ１００Ａ、１００Ｂ、１００Ｃのそれぞれごとに、前記前面部分２２０Ａ、２２０Ｂ、２２０Ｃは、前記本体の長手方向軸を中心として円筒形であると共に本体２１０Ａ、２１０Ｃの長手方向軸に対して平行な方向に沿って前記ピン２２１Ａ、２２１Ｂ、２２１Ｃが突出している前面壁によって前面において閉じられた本体の形態を有する。
【０１３６】
又、前記前面部分２２０Ａ、２２０Ｂ、２２０Ｃは、開口部を介して前面壁内に開口するハウジングをも含む。ハウジングは、電気プラグ２００Ａ、２００Ｂ、２００Ｃを接地に接続するように、前記開口部を通じて挿入されるＦｒａｎｃｏ−Ｂｅｌｇｉａｎ規格のコンセントのピン１２０Ａを受け入れるように適合されたセル２２２Ａ、２２２Ｃを収容する。
【０１３７】
独国規格によるコンセント１００Ｃと協働するようにも適合された電気プラグ２００Ｃの前面部分２２０Ｃは、電気プラグ２００Ｃを接地に接続するためにコンセントの受入凹部の側部において突出するコンセント１００Ｃのスプリング接点１２０Ｃと協働するように適合された電気接触要素を受け入れる２つの直径方向に対向する溝２２３Ｃを更に含む。
【０１３８】
電気プラグ２００Ａ、２００Ｃの本体２１０Ａ、２１０Ｃは、電気プラグ２００Ａ、２００Ｃを電気器具（図示されていない）に接続する電気ワイヤを通過させるための背面要素２４０Ａ、２４０Ｃにより、背面において延びている。
【０１３９】
図２８及び図２９に示されている電気プラグ２００Ｄの場合には、電気プラグ２００Ｄの本体２１０Ｄは、略矩形の形状を有する。
【０１４０】
前面部分２２０Ｄは、電気プラグ２００Ｄを電気器具（図示されていない）に接続する電気ワイヤが通過する矩形の背面部分２４０Ｄを閉じるプレートの形態を有する。
【０１４１】
米国規格によるコンセント１００Ｄと協働するように適合された電気プラグ２００Ｄの前面部分２２０Ｄは、３つのピン２２１Ｄ、２２２Ｄが突出する３つの開口部を含んでおり、これらのピンは、コンセント１００Ｄの対応する端子に接続されるセル１１０Ｄ、１２０Ｄにプラグ接続されるように適合されている。
【０１４２】
３つのピン２２１Ｄ、２２２Ｄは、前面部分２２０Ｄの平面に対して垂直の方向に沿って延びている。
【０１４３】
図１２〜図１４に示されている電気プラグ２００Ａの読取器手段２３０Ａは、電気プラグ２００Ａの前記電気ワイヤが通過する環状支持部２３１Ａと、環状支持部２３１Ａ上に取り付けられたリードスイッチ２３３Ａと、を備える。又、これらは、リードスイッチ２３３Ａに接続された第２電気回路をも備える。
【０１４４】
この実施形態においては、「第２電気回路」という用語は、電気プラグのピンを対応する電気器具に接続する主電気回路とは別個である電気プラグの電気回路を意味している。
【０１４５】
第２電気回路は、リードスイッチ２３３Ａの入力及び出力に、且つ、電気器具に、即ち、この実施形態においては、自動車に、或いは、リードスイッチ２３３Ａを通過する電流を検出する能力を有する任意のタイプの電圧又は電流検出器に、接続された電気回路であってもよい。
【０１４６】
又、第２回路は、第１には、リードスイッチ２３３Ａの一端と電気器具の間において、且つ、第２には、リードスイッチの他端と電気プラグの接地端子に接続されたセル２２２Ａの間において、接続してもよい。
【０１４７】
環状支持部２３１Ａは、前面部分２２０Ａの背面において、本体２１０Ａ内に通常は収容されるケーブルクランプを置換している。
【０１４８】
リードスイッチ２３３Ａは、磁界の存在しない状態においては離れていると共に任意の方向において作用する磁界が存在する状態においては互いに接触状態となる２つの接点を備える。２つの接点は、これらの接点を酸化から保護する不活性ガスによって充填されたガラスチューブ内に配置されている。
【０１４９】
リードスイッチ２３３Ａの遮断容量は、接点を損傷することなしにリードスイッチを通過することができる最大電流に対応しており、且つ、これは、１ミリアンペア（ｍＡ）〜４Ａの範囲である。接点が磁界の存在下において互いに接触状態となるのに要する時間に対応するリードスイッチ２３３Ａのトリガ時間は、約０．５ミリ秒（ｍｓ）である。
【０１５０】
この実施形態においては、リードスイッチ２３３Ａは、環状支持部２３１Ａ内に形成された円筒形のオリフィスの形態を有するハウジング２３２Ａ内において部分的に収容されている（図１４）。
【０１５１】
円筒形のオリフィスは、環状支持部２３１Ａの厚さ内において長手方向に延びている。
【０１５２】
リードスイッチ２３３Ａの一部分は、環状支持部２３１Ａから、電気プラグ２００Ａの前面に向かって突出している（図１２〜図１４）。
【０１５３】
この実施形態においては、リードスイッチ２３３Ａは、端子２２１Ａの軸に対して平行に、即ち、電気プラグ２００Ａの本体２１０Ａの長手方向軸に対して平行に、延びている。
【０１５４】
従って、第１の曲がり易いブレードスイッチ２３３Ａの自由端部は、電気プラグ２００Ａの前面部分２２０Ａの前面壁に非常に近接した状態において位置している。
【０１５５】
電気プラグ２００Ａがコンセント１００Ａ、１００Ｂに挿入された際に、電気プラグ２００Ａの前面部分２２０Ａの前面は、コンセント１００Ａ、１００Ｂの受入凹部の背面壁に対して接触し、且つ、従って、リードスイッチ２３３Ａは、コンセント１００Ａ、１００Ｂの識別手段１３０Ａ、１３０Ｂの磁石１３３Ａ、１３３Ｂの近傍において位置決めされる。
【０１５６】
従って、リードスイッチ２３３Ａは、コンセント１００Ａ、１００Ｂの磁石１３３Ａ、１３３Ｂによって生成された磁界に包まれ、且つ、その接点が離れているその開放位置から、その接点が接触状態にある閉鎖位置に遷移し、これにより、電流が電気プラグ２００Ａの第２電気回路を通じて流れることができるようになる。
【０１５７】
第２電気回路（図示されてはいない）内における電流の通過により、電気プラグがプラグ接続されているコンセント１００Ａによって供給される電気信号の関数として決定されるパイロット信号を電気プラグ２００Ａに接続された電気器具に対して転送することが可能になる。この実施形態においては、パイロット信号は、損傷を伴うことなしに１６Ａに等しい最大電流の電気信号を供給するようにコンセントが実際に適合されていることを通知する。
【０１５８】
一変形においては、電気プラグ内において、なんらかのその他の方法により、しかし、依然として電気プラグの前面部分の前面の近傍において、リードスイッチを配置してもよい。
【０１５９】
図１５に示されている電気プラグ２００Ｂは、Ｆｒａｎｃｏ−Ｂｅｌｇｉａｎ規格によるコンセント１００Ａ、１００Ｂと協働するように適合された電気プラグの第１実施形態の一変形を構成している。
【０１６０】
この変形においては、電気プラグ２００Ｂのリードスイッチ２３３Ｂは、電気プラグの長手方向軸に対して平行に電気プラグ２００Ｂの本体２１０Ｂの前面部分２２０Ｂ内に形成されたスロット２３６Ｂ内において摺動すると共に保持される長楕円形の覆い内に収容されている。この実施形態においては、スロット２３６Ｂは、前面部分２２０Ｂの周辺部分内において形成されている。
【０１６１】
この構成においては、リードスイッチ２３３Ｂの支持部２３１Ｂは、電気プラグ２００Ｂの前面部分２２０Ｂによって構成されている。更には、従来の方式により、電気プラグ２００Ｂは、前面部分２２０Ｂの背面に配置されたケーブルクランプ２２５Ｂを本体２１０Ｂ内に含む。
【０１６２】
図２４に示されていると共にＦｒａｎｃｏ−Ｂｅｌｇｉａｎ又は独国規格のコンセントと協働するように適合された電気プラグ２００Ｃの読取器手段２３０Ｃと、（図２４には示されていない）電気プラグ２００Ｃ内において読取機手段２３０Ｃを保持する手段とは、すべての面において、図１２〜図１５を参照して説明したものに類似したものであってもよい。
【０１６３】
この実施形態においては、読取器手段は、電気プラグ２００Ｃのピン２２１Ｃに対して平行に方向付けされたリードスイッチ２３０Ｃである。
【０１６４】
図２８及び図２９に示されていると共に米国規格のコンセントと協働するように適合された電気プラグ２００Ｄの読取機手段２３０Ｄは、図１２〜図１５を参照して説明した読取器手段に類似している。これらの読取器手段は、電気プラグの背面部分２４０Ｄ内において収容されたリードスイッチである。この実施形態においては、リードスイッチは、電気プラグ２００Ｄのピン２２１Ｄに対して垂直に配置されている。
【０１６５】
又、検討対象である電気プラグの規格とは無関係に、リードスイッチをホール効果センサによって置換することを想定することもできる。ホール効果センサは、磁界に包まれた際に、電気信号を出力する。従って、電気信号は、ホール効果センサがコンセントの磁石に近づいた際に発せられるが、これは、電気プラグがコンセント内に挿入された際に不可避に発生する。この結果、ホール効果センサによって発せられた電気信号は、電気プラグの第２電気回路により、電気器具に対して転送される。
【０１６６】
有利には、電気プラグ２００Ａ、２００Ｂ、２００Ｃ、２００Ｄは、なんらの識別手段をも含んでいない又はプラグの読取器手段に対応していない識別手段を含む適切な規格の従来のコンセント１０（図２）と共に使用するのに完全に適している。
【０１６７】
この場合には、図２に示されているように、パイロット信号は電気プラグに対して転送されず、その理由は、前記プラグの読取器手段がなんらの磁界をも検出しないからである。
【０１６８】
逆に、本発明のコンセント１００Ａ、１００Ｂ、１００Ｃ、１００Ｄは、読取器手段を含んでいない従来の電気プラグを受け入れるようにも適合されている。
【０１６９】
図３及び図１７に示されている第２実施形態においては、コンセント３００は、光の形態のパイロット信号を出力する能動的な識別手段３３０を含む。
【０１７０】
この実施形態においては、コンセント３００の識別手段は、光源３３０を有し、この光源３３０には、コンセント３００の端子に電力供給するための電力とは無関係の電力により、又はコンセント３００に電力供給するための電力から電力を取得することにより、電力供給してもよい。
【０１７１】
一例として、光源は、発光ダイオードである。
【０１７２】
図１７に示されているように、第１実施形態のコンセントと同様に、コンセント３００は、装置メカニズムを収容するケーシング３６０を含む。ケーシング３６０の前面は、トリムカバー３４０によって閉じられている。トリムカバー３４０の前面３４１から突出すると共にコンセント３００の受入凹部を形成しているトリム３４２が提供されており、且つ、フラップ３４６が、コンセント３００の受入凹部に対するアクセスを閉鎖するように、トリムカバー３４０上において回動自在に取り付けられている。
【０１７３】
光源３３０は、トリムカバー３４０の前面３４１の開口部３３１に対向する状態において、ケーシング３６０内に収容されている。
【０１７４】
一変形においては、光源は、例えば、光ファイバなどのライトガイド内に光を放出し、ライトガイドは、光源によって放出された光ビームをトリムカバーの前面の開口部に伝達する。
【０１７５】
更なる一変形においては、光源によって放出された光ビームは、コンセントの受入凹部の背面壁内に位置した開口部を介して放出される。
【０１７６】
この実施形態においては、コンセント３００によって発せられるパイロット信号を受け取るように適合された電気プラグ４００は、読取器手段４３０を含み、この読取器手段４３０は、ライトガイド、具体的には、光ファイバ４３２と、光検出器（図示されていない）と、を備える。
【０１７７】
更には、且つ、上述のように、電気プラグ４００は、背面要素４４０によってその背面において延ばされると共に電気プラグ４００の接続端子４２１が突出している前面部分４２０によってその前面において閉じられた本体４１０をも含む（図１７）。
【０１７８】
光ファイバ４３２は、電気プラグ３００がコンセント４００に挿入された際に、コンセント３００の光源３３０によって放出された光ビームが放出されるコンセント３００の開口部３３１に対向するように位置した場所において電気プラグ４００の外側に対して開口している。
【０１７９】
この実施形態においては、光ファイバ４３２は、対応する電源ワイヤ４５０と共に電気プラグの本体４１０の長手方向軸に沿って電気プラグ４００内に延び、且つ、次いで、本体の長手方向軸から離れるようにわずかな距離だけオフセットされており、光ファイバ４３２は、電気プラグ４００の本体４１０の突起４３１を通過しており、且つ、電気プラグ４００がコンセント３００に挿入された際に、トリムカバー３４０の前面３４１に接触する突起４３１の面上に開口し、これにより、開口部３３１に対向する。
【０１８０】
一変形においては、光ファイバ４３２は、その場所が、コンセントの光源によって放出された光ビームが放出されるコンセントの開口部に対向するようになっている限り、電気プラグの外側表面の任意の場所において開口してもよい。
【０１８１】
この結果、電気プラグ４００がコンセント３００に挿入された際に、コンセント３００の光源３３０によって放出された光ビームは、光ファイバ４３２内に進入する。
【０１８２】
この光ビームは、光ファイバ４３２により、光検出器に伝達されるが、この光検出器は、この実施形態においては、電気器具内において、電気プラグ４００から所定の距離に配置されている。
【０１８３】
又、一変形においては、光検出器は、電気プラグ自体の絶縁性本体内に収容してもよい。
【０１８４】
この結果、光検出器は、電気プラグ４００を介してコンセント３００に接続されている電気器具に対して送信される電気信号を出力する。
【０１８５】
この結果、コンセントによって発せられた光の形態を有するパイロット信号は、一例として、コンセントが１６Ａに等しい最大電流を供給するように適合されていることを電気器具に対して通知する、電気の形態を有するパイロット信号に変換される。
【０１８６】
一変形においては、所与の瞬間においてコンセントによって供給される電気信号の特性の関数として光を放出する複数の光源をコンセントが含むことを想定することができる。
【０１８７】
この場合には、相補的な電気プラグは、少なくとも１つのライトガイドを、好ましくは、コンセント内に存在している光源と同数のライトガイドを、含む。ライトガイドは、光源によって放射された光ビームを１つ又は複数の光検出器に伝達する。
【０１８８】
この結果、コンセントによって供給された電気信号に関係する様々な情報を電気器具に転送することができる。
【０１８９】
図４、図１８、及び図１９に示されている第３実施形態においては、コンセント５００は、受動的な識別手段５３０を含む。
【０１９０】
識別手段は、例えば、ミラー５３０などの光反射器５３０を備える。
【０１９１】
図１８及び図１９に示されているように、上述のその他のコンセントと同様に、コンセント５００は、装置メカニズム５５０を収容するケーシング５６０を含む（図１９）。ケーシング５６０の前面は、トリムカバー５４０によって閉じられている。トリムカバー５４０の前面５４１から突出すると共にコンセントの受入凹部を形成しているトリム５４２が設けられており、且つ、フラップ５４６が、コンセント５００の受入凹部に対するアクセスを閉鎖するように、トリムカバー５４０上において回動自在に取り付けられている。
【０１９２】
この実施形態においては、ミラー５３０は、フラップ５４６が閉鎖された際に、コンセント５００の受入凹部に向かって方向付けられた状態でフラップ５４６の内部面上において接着接合されるなどように、構成されている。
【０１９３】
ミラー５３０は、相補的な電気プラグ６００によって放出された光ビームを電気プラグの光検出器に向かって反射するべく適合されるように、構成されている。
【０１９４】
更に正確には、この実施形態においては、コンセント５００と協働するように適合された電気プラグ６００の読取器手段６３０は、２本の光ファイバ６３１、６３２の形態を有する２つのライトガイドと、光源（図示されていない）と、光検出器（図示されていない）と、を含む。
【０１９５】
上述のように、電気プラグ６００は、電気プラグの接続端子６２１が突出している前面部分６２０によってその前面において閉じられた本体６１０を含む（図１９）。
【０１９６】
この実施形態においては、光ファイバ６３１、６３２は、プラグの背面部分６４０を通じて電気プラグ６００を対応する電気器具に接続している電気ワイヤ６５０と共に、電気プラグ６００の本体６１０内に長手方向において進入している（図１９）。
【０１９７】
これらは、電気プラグの本体６１０のボス６１１を通じて横から出ており、このボスは、電気プラグ６００がコンセント５００内に挿入された際に、フラップ５４６に隣接して位置する。
【０１９８】
ボス６１１により、それぞれの光ファイバ６３１、６３２の端部のうちの１つを定位置において保持することが可能であり、且つ、コンセント５００のフラップ５４６を押し返すことができる。
【０１９９】
この結果、それぞれの光ファイバ６３１、６３２の端部は、ミラー５３０に対向する状態において開口する。
【０２００】
光ファイバ６３１のうちの１本の光ファイバの他端は、例えば、発光ダイオードなどの光源（図示されていない）に接続されており、もう１つの光ファイバ６３２の他端は、光検出器に接続されている。
【０２０１】
この実施形態においては、光源及び光検出器は、電気プラグの本体の外部において、電気器具に配置されている。
【０２０２】
一変形においては、これらが電気プラグの本体内に収容されるものと想定することができる。
【０２０３】
電気プラグ６００がコンセント５００に挿入された際に、フラップ５４６は、電気プラグの本体６１０のボス６１１によって押し返され、且つ、電気プラグ６００との関係における既定の向きにおいてボス６１１によって保持される。
【０２０４】
光源に接続されている光ファイバ６３１からの光ビームは、ミラー５３０によって反射され、且つ、他方の光ファイバ６３２の端部に到達する。
【０２０５】
この実施形態においては、パイロット信号は、反射された光ビームである。
【０２０６】
反射された光ビームは、他方の光ファイバ６３２によって光検出器に伝達される。この結果、光検出器は、光の形態を有するパイロット信号を電気器具に転送される電気の形態を有するパイロット信号に変換する。一例として、電気のパイロット信号は、コンセントが１６Ａに等しい最大電流を供給するように適合されていることが確実であると電気器具に対して通知する。
【０２０７】
図５に示されている第４実施形態においては、コンセント７００の前記識別手段は、例えば、ロッドなどのプッシャ要素７３０を有しており、このプッシャ要素７３０は、トリムカバーの前面から又はコンセント７００の受入凹部の背面壁から突出している。
【０２０８】
従って、識別手段は、受動的な手段である。
【０２０９】
図５は、コンセント７００の端子７１０、７２０を概略的に示している。
【０２１０】
この実施形態においては、相補的な電気プラグ８００の読取器手段８３０は、第２電気回路と、機械スイッチ８３１と、を備える。
【０２１１】
プッシャ要素７３０は、前記電気プラグがコンセントに挿入された際に、相補的な電気プラグ８００の機械スイッチ８３１を作動させるように適合されている。好ましくは、プッシャ要素は、電気を伝導しないプッシャ要素である。
【０２１２】
図５は、電気プラグ８００の端子８２１と、接地端子８２２と、を概略的に示している。
【０２１３】
機械スイッチ８３１の作動により、電気プラグ８００の第２電気回路が閉じて、電流が第２回路内に通過することが可能となる。
【０２１４】
電流の通過により、パイロット信号が電気プラグに転送される。
【０２１５】
図６に示されている第５実施形態においては、コンセント９００の前記識別手段は、例えば、金属プレートなどの電気接触要素９３０を有し、電気接触要素９３０は、トリムカバーの前面において、又はコンセント９００の受入凹部の背面壁において、アクセス可能である。従って、識別手段は、受動的な手段である。
【０２１６】
一例として、金属プレート９３０は、コンセントの内部において取り付けてもよく、且つ、トリムカバーの開口部又は凹部の背面壁の開口部を通じてアクセス可能であってもよく、或いは、例えば、トリムカバーの前面に対して又はコンセント９００の受入凹部の背面壁に対して接着接合するなどように、コンセントの外部において構成してもよい。
【０２１７】
金属プレート９３０は、コンセント９００の電源ワイヤに対して電気的に接続されてはいない。
【０２１８】
図６は、コンセント９００の端子９１０、９２０を概略的に示している。
【０２１９】
相補的な電気プラグ１０００の読取器手段１０３０は、２本の金属ロッド１０３１に跨って開路状態にある第２電気回路を備える。
【０２２０】
金属プレート９３０は、前記電気プラグがコンセント９００に挿入された際に、相補的な電気プラグ１０００の２本の金属ロッド１０３１の間に電気的接触を確立するように適合されている。
【０２２１】
金属ロッド１０３１は、金属プレート９３０と対向する状態において、電気プラグ１０００の前面部分から突出している。
【０２２２】
この結果、電気プラグ１０００の第２電気回路が閉じられて、電流が第２回路を通じて流れる。電流の通過により、電気プラグ１０００に転送されるパイロット信号が構成される。
【０２２３】
図６は、電気プラグ１０００の端子１０２１及び接地端子１０２２を概略的に示している。
【０２２４】
又、本発明は、本発明のコンセントと、その相補的な電気プラグと、を備える電気組立体にも関する。
【０２２５】
パイロット信号により、電気プラグ２００Ａ、２００Ｂ、２００Ｃ、２００Ｄ、４００、６００、８００、１０００は、コンセント１００Ａ、１００Ｂ、１００Ｃ、１００Ｄ、３００、５００、７００、９００と、異なる特性の電気信号を供給する別のコンセントを区別することできる。例えば、パイロット信号によれば、高アンペア電流を供給するように適合されていることを保証する固有特性を有するコンセント上に識別手段が設置された際に、確実性を伴って識別されない固有特性を有するコンセントから、高アンペアの電気信号を供給するように実際に適合されているコンセントを区別することができる。
【０２２６】
その結果、電気器具は、例えば、コンセントが損傷を伴うことなしに供給することができる最大電流において動作するために、コンセントから引き出す電流を制限するなどのように、その動作を調節してもよい。
【０２２７】
又、単一のコンセント上に異なるタイプの識別手段を設けると共に１つ又は複数の読取器手段をその関連する電気プラグ上に設けることにより、上述の実施形態のうちの複数の実施形態を組み合わせることを想定することもできる。
【図１】
2014523617.tif 000003
【図２】
2014523617.tif 000004
【図３】
2014523617.tif 000005
【図４】
2014523617.tif 000006
【図５】
2014523617.tif 000007
【図６】
2014523617.tif 000008
【図７】
2014523617.tif 000009
【図８】
2014523617.tif 000010
【図９】
2014523617.tif 000011
【図１０】
2014523617.tif 000012
【図１１】
2014523617.tif 000013
【図１２】
2014523617.tif 000014
【図１３】
2014523617.tif 000015
【図１４】
2014523617.tif 000016
【図１５】
2014523617.tif 000017
【図１６】
2014523617.tif 000018
【図１７】
2014523617.tif 000019
【図１８】
2014523617.tif 000020
【図１９】
2014523617.tif 000021
【図２０】
2014523617.tif 000022
【図２１】
2014523617.tif 000023
【図２２】
2014523617.tif 000024
【図２３】
2014523617.tif 000025
【図２４】
2014523617.tif 000026
【図２５】
2014523617.tif 000027
【図２６】
2014523617.tif 000028
【図２７】
2014523617.tif 000029
【図２８】
2014523617.tif 000030
【図２９】
2014523617.tif 000031
【手続補正書】
【提出日】平成26年4月1日(2014.4.1)
【手続補正１】
【補正対象書類名】明細書
【補正対象項目名】００３７
【補正方法】変更
【補正の内容】
【００３７】
更に詳しくは、図１、図３〜図１１、図１６〜図２３、及び図２５〜図２７は、本発明のコンセントのいくつかの実施形態を示している。
【手続補正２】
【補正対象書類名】明細書
【補正対象項目名】００６５
【補正方法】変更
【補正の内容】
【００６５】
図１に概略的に示されると共に図７〜図１１、図１６、図２０〜図２３、及び図２５〜図２７に更に正確に示されている本発明のコンセントの好適な第１実施形態１００Ａ、１００Ｂ、１００Ｃ、１００Ｄにおいては、コンセントの前記識別手段１３０Ａ、１３０Ｂ、１３０Ｃ、１３０Ｄは、少なくとも１つの磁石１３３Ａ、１３３Ｂ、１３３Ｃ、１３３Ｄを備える。
【手続補正３】
【補正対象書類名】特許請求の範囲
【補正対象項目名】全文
【補正方法】変更
【補正の内容】
【特許請求の範囲】
【請求項１】
既定の最大電流を有する電気信号を連続的に且つ損傷を伴うことなしに供給するのに適するように、所与の固有特性を有するコンセント（１００Ａ、１００Ｂ、１００Ｃ、１００Ｄ、３００、５００、７００、９００）であって、
損傷を伴うことなしに前記コンセントによって供給することができる前記電気信号の前記最大電流を表すパイロット信号を生成するように、電気プラグ（２００、４００、６００、８００、１０００）と通信又は協働するように適合された識別手段（１３０、３３０、５３０、７３０、９３０）を含むことを特徴とするコンセント。
【請求項２】
前記識別手段（１３０Ａ、１３０Ｂ、１３０Ｃ、１３０Ｄ）は、磁石（１３３Ａ、１３３Ｂ、１３３Ｃ、１３３Ｄ）を備える請求項１に記載のコンセント（１００Ａ、１００Ｂ、１００Ｃ、１００Ｄ）。
【請求項３】
前記磁石（１３３Ａ、１３３Ｂ、１３３Ｃ、１３３Ｄ）は、前記コンセント（１００Ａ、１００Ｂ、１００Ｃ、１００Ｄ）の受入凹部の壁の近傍において、前記コンセント（１００Ａ、１００Ｂ、１００Ｃ、１００Ｄ）のケーシング（１６０Ａ、１６０Ｂ、１６０Ｃ、１６０Ｄ）内に配置される請求項２に記載のコンセント（１００Ａ、１００Ｂ、１００Ｃ、１００Ｄ）。
【請求項４】
前記識別手段は、光源（３３０）を備える請求項１に記載のコンセント（３００）。
【請求項５】
前記光源（３３０）は、発光ダイオードを備える請求項４に記載のコンセント（３００）。
【請求項６】
前記識別手段は、ライトガイドを備える請求項４に記載のコンセント。
【請求項７】
前記識別手段（５３０）は、光反射器要素を備える請求項１に記載のコンセント（５００）。
【請求項８】
前記光反射器要素は、ミラー（５３０）である請求項７に記載のコンセント（５００）。
【請求項９】
前記識別手段は、非導電性であると共に前記コンセント（７００）の前面部分から突出するプッシャ要素（７３０）を備える請求項１に記載のコンセント（７００）。
【請求項１０】
前記識別手段は、前記コンセント（９００）によって電力供給されない更なる電気接触要素（９３０）を備える請求項１に記載のコンセント（９００）。
【請求項１１】
コンセント（１００Ａ、１００Ｂ、１００Ｃ、１００Ｄ、３００、５００、７００、９００）にプラグ接続されるように構成された電気プラグ（２００Ａ、２００Ｂ、２００Ｃ、２００Ｄ、４００、６００、８００、１０００）であって、前記コンセント（１００Ａ、１００Ｂ、１００Ｃ、１００Ｄ、３００、５００、７００、９００）は、既定の最大電流を有する電気信号を連続的に且つ損傷を伴うことなしに供給するのに適するように、所与の固有特性を有し、且つ、損傷を伴うことなしに前記コンセントによって供給することができる前記電気信号の前記最大電流を表すパイロット信号を生成するように、前記電気プラグ（２００Ａ、２００Ｂ、２００Ｃ、２００Ｄ、４００、６００、８００、１０００）と通信又は協働するように適合された識別手段を含む、電気プラグ（２００Ａ、２００Ｂ、２００Ｃ、２００Ｄ、４００、６００、８００、１０００）であって、
前記識別手段（１３０Ａ、１３０Ｂ、１３０Ｃ、１３０Ｄ、３３０、５３０、７３０、９３０）と通信すると共に前記パイロット信号を転送するように適合された読取器手段（２３０Ａ、２３０Ｂ、２３０Ｃ、２３０Ｄ、４３０、６３０、８３０、１０３０）を含む電気プラグ（２００Ａ、２００Ｂ、２００Ｃ、２００Ｄ、４００、６００、８００、１０００）。
【請求項１２】
前記読取器手段は、ホール効果センサを備える請求項１１に記載の電気プラグ。
【請求項１３】
前記読取器手段（２３０Ａ、２３０Ｂ、２３０Ｃ、２３０Ｄ）は、磁界に対する感度を有するリードスイッチ（２３３Ａ、２３３Ｂ、２３３Ｃ、２３３Ｄ）を備える請求項１１に記載の電気プラグ（２００Ａ、２００Ｂ、２００Ｃ、２００Ｄ）。
【請求項１４】
前記読取器手段（４３０、６３０）は、光検出器を備える請求項１１に記載の電気プラグ（４００、６００）。
【請求項１５】
前記読取器手段（４３０、６３０）は、ライトガイド（４３２、６３１、６３２）を備える請求項１１に記載の電気プラグ（４００、６００）。
【請求項１６】
前記読取器手段は、光源と、光検出器と、を備える請求項１１に記載の電気プラグ（６００）。
【請求項１７】
前記読取器手段（８３０）は、第２電気回路の機械スイッチ（８３１）を備える請求項１１に記載の電気プラグ（８００）。
【請求項１８】
前記読取器手段（１０３０）は、前記電気プラグから突出する２本の金属ロッド（１０３１）と、前記２本の金属ロッドに跨って開路状態にある第２電気回路と、を備える請求項１１に記載の電気プラグ（１０００）。
【請求項１９】
コンセント（１００Ａ、１００Ｂ、１００Ｃ、１００Ｄ、３００、５００、７００、９００）と、前記コンセントにプラグ接続されるように適合された電気プラグ（２００Ａ、２００Ｂ、２００Ｃ、２００Ｄ、４００、６００、８００、１０００）と、を備える電気組立体（Ｅ１、Ｅ２、Ｅ３、Ｅ４、Ｅ５）であって、コンセント（１００Ａ、１００Ｂ、１００Ｃ、１００Ｄ、３００、５００、７００、９００）は、既定の最大電流を有する電気信号を連続的に且つ損傷を伴うことなしに供給するのに適するように、所与の固有特性を有し、且つ、損傷を伴うことなしに前記コンセント（１００Ａ、１００Ｂ、１００Ｃ、１００Ｄ、３００、５００、７００、９００）によって連続的に供給することができる前記電気信号の前記最大電流を表すパイロット信号を生成するように、前記電気プラグ（２００Ａ、２００Ｂ、２００Ｃ、２００Ｄ、４００、６００、８００、１０００）の読取器手段（２３０Ａ、２３０Ｂ、２３０Ｃ、２３０Ｄ、４３０、６３０、８３０、１０３０）と通信又は協働するように適合された識別手段（１３０Ａ、１３０Ｂ、１３０Ｃ、１３０Ｄ、３３０、５３０、７３０、９３０）を含む、電気組立体（Ｅ１、Ｅ２、Ｅ３、Ｅ４、Ｅ５）。
【請求項２０】
前記コンセントの前記識別手段は、磁石を有し、且つ、前記電気プラグの前記読取器手段は、前記電気プラグが前記コンセントに挿入された際に、前記パイロット信号を出力するように適合されたホール効果センサを備える請求項１９に記載の電気組立体。
【請求項２１】
前記コンセント（１００Ａ、１００Ｂ、１００Ｃ、１００Ｄ）の前記識別手段（１３０Ａ、１３０Ｂ、１３０Ｃ、１３０Ｄ）は、磁石（１３３）を有し、且つ、前記電気プラグ（２００Ａ、２００Ｂ、２００Ｃ、２００Ｄ）の前記読取器手段（２３０Ａ、２３０Ｂ、２３０Ｃ、２３０Ｄ）は、磁界に対する感度を有すると共に前記電気プラグ（２００Ａ、２００Ｂ、２００Ｃ、２００Ｄ）が前記コンセント（１００Ａ、１００Ｂ、１００Ｃ、１００Ｄ）に挿入された際に状態を変化させるように適合されたリードスイッチ（２３３Ａ、２３３Ｂ、２３３Ｃ、２３３Ｄ）を含む第２電気回路を備える請求項１９に記載の電気組立体（Ｅ１）。
【請求項２２】
前記コンセント（３００）の前記識別手段（３３０）は、光源を有し、且つ、前記電気プラグ（４００）の前記読取器手段（４３０）は、前記電気プラグ（４００）が前記コンセント（３００）に挿入された際に前記光源によって放出された前記光ビームを受け取るように適合された光検出器を備える請求項１９に記載の電気組立体（Ｅ２）。
【請求項２３】
前記電気プラグ（６００）の前記読取器手段（６３０）は、光源と、光検出器と、を有し、且つ、前記コンセント（５００）の前記識別手段（５３０）は、前記電気プラグ（６００）が前記コンセント（５００）に挿入された際に、前記光源によって放出された光を前記光検出器に向かって反射するように適合された光反射器要素（５３０）を備える請求項１９に記載の電気組立体（Ｅ３）。
【請求項２４】
前記電気プラグ（８００）の前記読取器手段（８３０）は、機械スイッチ（７３０）を含む第２電気回路を有し、且つ、前記コンセント（７００）の前記識別手段（７３０）は、前記コンセント（７００）の前記受入凹部内に突出すると共に前記電気プラグ（８００）が前記コンセント（７００）に挿入された際に前記スイッチ（８３１）を作動させるように適合されたプッシャ要素（７３０）を備える請求項１９に記載の電気組立体（Ｅ４）。
【請求項２５】
前記電気プラグ（１０００）の前記読取器手段（１０３０）は、前記電気プラグ（１０００）から突出した２本の金属ロッド（１０３１）に跨って開路状態にある第２電気回路を有し、且つ、前記コンセント（９００）の前記識別手段（９３０）は、前記電気プラグ（１０００）が前記コンセント（９００）に挿入された際に前記第２電気回路を閉路するように適合された更なる電気接触要素（９３０）を備える請求項１９に記載の電気組立体（Ｅ５）。
【国際調査報告】
2014523617.tif 000032
2014523617.tif 000033
2014523617.tif 000034
2014523617.tif 000035
2014523617.tif 000036
2014523617.tif 000037